(57)【要約】【課題】  盗難又は紛失にあった対象物品を迅速かつ確実に検索することができる通信端末装置、物品管理システム及び物品管理方法を提供する。【解決手段】  物品管理システムは、基地局３を介して携帯電話会社サーバ１に接続されるＲＦＩＤ受信機能を備える複数のカメラ付き携帯電話機１０と、盗品・遺失物検索など物品管理サービスのための物品管理センタサーバ４と、携帯電話会社サーバ１、物品管理センタサーバ４、警察サーバ５及び被害者宅サーバ６を接続するネットワーク網７とを備え、カメラ付き携帯電話機１０主制御部２１は、ＲＦＩＤ受信部２９により読み取った物品の固有コードと不揮発性メモリ２４に記憶された盗品登録リストの固有コードとを比較し、固有コードが一致した場合には、盗品画像を表示部３４に表示し、またバイブレータで知らせるとともに、無音撮影を許可し、物品管理センタサーバ４に無音撮影した画像を添付して通報する。【選択図】    図１
2006092128.tif 000002
【特許請求の範囲】
【請求項１】
捜索対象物品の画像及び捜索対象物品に取り付けられた無線タグの第１の固有コードを取得する取得手段と、
物品に取り付けられた無線タグの第２の固有コードを読み取る読取手段と、
前記第２の固有コードの読み取りに応じて前記第１の固有コードと前記第２の固有コードとを比較し、固有コードの一致を報知する報知手段と、
前記第２の固有コードと一致した前記第１の固有コードに対応する捜索対象物品の画像を表示する表示手段と
を備えることを特徴とする通信端末装置。
【請求項２】
操作手段を備え、
前記報知手段は、前記操作手段の操作に応答して前記捜索対象物品が発見されたことを前記捜索対象物品の捜索依頼元に対して通知することを特徴とする請求項１記載の通信端末装置。
【請求項３】
さらに、画像を撮影する撮影手段と、
前記第２の固有コードと前記第１の固有コードとが一致した場合に、前記撮影手段による無音撮影を許可する制御を行う制御手段と
を備えることを特徴とする請求項１記載の通信端末装置。
【請求項４】
前記報知手段は、前記撮影手段によって無音撮影された画像を添付して前記捜索対象物品が発見されたことを前記捜索対象物品の捜索依頼元に対して通知することを特徴とする請求項３記載の通信端末装置。
【請求項５】
前記制御手段は、前記報知手段による通知が完了した後、前記撮影手段によって無音撮影された画像を消去する制御を行うことを特徴とする請求項４記載の通信端末装置。
【請求項６】
前記制御手段は、装置本体の電源がオフされたとき、前記撮影手段によって無音撮影された画像を消去する制御を行うことを特徴とする請求項４記載の通信端末装置。
【請求項７】
自己の位置を検出する位置検出手段を備え、
前記報知手段は、前記捜索対象物品が発見されたことを前記捜索対象物品の捜索依頼元に対して通知する際、前記位置検出手段により検出した前記位置情報を報知することを特徴とする請求項１記載の通信端末装置。
【請求項８】
前記第１の固有コードをあらかじめ取得して記憶する記憶手段を備え、
前記報知手段は、前記第２の固有コードと前記記憶手段に記憶した第１の固有コードとを比較し、固有コードが一致した場合には前記捜索対象物品が発見されたことを報知することを特徴とする請求項１記載の通信端末装置。
【請求項９】
捜索対象物品を管理する管理装置と、前記管理装置とネットワークを介して接続される複数の通信端末装置とを備える物品管理システムであって、
前記通信端末装置は、
画像を撮影する撮影手段と、
前記捜索対象物品の画像及び捜索対象物品に取り付けられた無線タグの第１の固有コードを取得する取得手段と、
物品に取り付けられた無線タグの第２の固有コードを読み取る読取手段と、
前記第２の固有コードと前記第１の固有コードとを比較し、固有コードが一致した場合には前記捜索対象物品が発見されたことを、前記ネットワークを介して前記管理装置に通知する報知手段と、
前記第２の固有コードと一致した前記第１の固有コードに対応する捜索対象物品の画像を表示する表示手段とを備え、
前記管理装置は、
前記第１の固有コード及び画像を登録する物品登録手段と、
前記通信端末装置に対して、登録した前記第１の固有コード及び画像を送信する送信手段と、
前記通信端末装置から、前記捜索対象物品が発見されたことの通知を受信する受信手段とを備えることを特徴とする物品管理システム。
【請求項１０】
前記通信端末装置は、操作手段を備え、
前記報知手段は、前記操作手段の操作に応答して前記捜索対象物品が発見されたことを前記管理装置に通知することを特徴とする請求項９記載の物品管理システム。
【請求項１１】
前記制御手段は、前記第２の固有コードと前記第１の固有コードとが一致した場合に、前記撮影手段による無音撮影を許可する制御を行う制御手段と
を備えることを特徴とする請求項９記載の物品管理システム。
【請求項１２】
前記報知手段は、前記撮影手段によって無音撮影された画像を添付して前記捜索対象物品が発見されたことを前記管理装置に通知することを特徴とする請求項９記載の物品管理システム。
【請求項１３】
前記制御手段は、前記報知手段による通知が完了した後、前記撮影手段によって無音撮影された画像を消去する制御を行うことを特徴とする請求項１２記載の物品管理システム。
【請求項１４】
前記制御手段は、装置本体の電源がオフされたとき、前記撮影手段によって無音撮影された画像を消去する制御を行うことを特徴とする請求項１２記載の物品管理システム。
【請求項１５】
前記通信端末装置は、自己の位置を検出する位置検出手段をさらに備え、
前記報知手段は、前記位置検出手段により検出した前記位置情報を前記管理装置に通知することを特徴とする請求項９記載の物品管理システム。
【請求項１６】
前記通信端末装置は、前記第１の固有コードをあらかじめ前記管理装置から取得して記憶する記憶手段を備え、
前記報知手段は、前記第２の固有コードと前記記憶手段に記憶した第１の固有コードとを比較し、固有コードが一致した場合には前記捜索対象物品が発見されたことを前記管理装置に通知することを特徴とする請求項９記載の物品管理システム。
【請求項１７】
前記管理装置は、前記登録した捜索対象物品のうち、特定の物品の第１の固有コード及び画像のみを前記通信端末装置に送信することを特徴とする請求項９又は１６に記載の物品管理システム。
【請求項１８】
前記管理装置は、前記登録した捜索対象物品のうち、特定の地域の前記通信端末装置のみに対して第１の固有コード及び画像を送信することを特徴とする請求項９又は１６に記載の物品管理システム。
【請求項１９】
捜索対象物品を管理する管理装置と、前記管理装置とネットワークを介して接続される通信端末装置とを用いた物品管理方法であって、
前記捜索対象物品の画像及び捜索対象物品に取り付けられた無線タグの第１の固有コードを登録するステップと、
物品に取り付けられた無線タグの第２の固有コードを読み取るステップと、
前記第２の固有コードと前記第１の固有コードとを比較するステップと、
前記固有コードが一致した場合に、当該固有コードに対応する捜索対象物品の画像を前記通信端末装置に表示させるステップと、
前記第２の固有コードと前記第１の固有コードとが一致した場合に、前記捜索対象物品が発見されたことを前記管理装置に対して通知するステップと
を有することを特徴とする物品管理方法。
【請求項２０】
前記第２の固有コードと前記第１の固有コードとが一致した場合に、前記通信端末装置に備えられた撮影手段による無音撮影を許可するステップを含むことを特徴とする請求項１９記載の物品管理方法。
【請求項２１】
前記捜索対象物品が発見されたことを前記管理装置に通知する際に、前記無音撮影された画像を添付するステップを含むことを特徴とする請求項１９又は２０に記載の物品管理方法。
【請求項２２】
前記捜索対象物品が発見されたことを前記管理装置に対して通知した後、前記無音撮影された画像を消去するステップを含むことを特徴とする請求項１９乃至２１のいずれか一項に記載の物品管理方法。
【請求項２３】
前記通信端末装置の電源がオフされたとき、前記無音撮影された画像を消去するステップを含むことを特徴とする請求項１９乃至２２のいずれか一項に記載の物品管理方法。
【発明の詳細な説明】
【技術分野】
【０００１】
本発明は、盗品等の捜索対象物品を捜索する携帯電話機等の通信端末装置、物品管理システム及び物品管理方法に関する。
【背景技術】
【０００２】
セルラシステムの自動車電話、携帯電話に代表される移動体通信は、近年普及の一途にあり、ＰＤＡ（Personal Digital Assistants）機能付き等の多機能携帯電話機もますます普及するものと考えられる。
【０００３】
また、近年、小型で低消費電力のイメージセンサが開発されたことに伴い、ＰＤＡや携帯電話機などの携帯型装置にカメラを内蔵することが可能となり、内蔵カメラにより撮影した画像を、メモ代わりに印刷物を撮影したり、電子メールで即座に送信できることが可能となっている。
【０００４】
また、最近では商品等にＲＦ（無線）タグを取り付け、商品等に取り付けられたタグとの間で通信を行って商品等を特定するタグ読み取り端末も存在する。例えば、特許文献１には、タグが取り付けられた遺失物のタグ情報をタグ読み取り端末により読み出し、タグを検出したタグ読み取り端末の設置場所をインターネットを介して利用者に知らせる遺失物捜索装置が開示されている。
【０００５】
また、特許文献２には、通信ネットワークに、商品販売センタサーバと、商品顧客端末と、複数の捜索協力者端末とを接続し、複数の捜索協力者端末が、商品のタグＩＤを検出して、対応する商品を発見して依頼者の商品顧客端末へ送信する捜索システムが開示されている。
【特許文献１】特開２００４−８３２１９号公報
【特許文献２】特開２００３−１５０６９２号公報
【発明の開示】
【発明が解決しようとする課題】
【０００６】
しかしながら、特許文献２に記載の捜索管理装置にあっては、捜索協力者端末である携帯電話が無線タグの固有コードを比較して固有コードが捜索対象物である場合、物品管理センタに自動的通報するものであったため、捜索対象物であるか否かの判断は無線タグによる固有データの比較のみである。捜索協力者が捜索対象物を熟知していればよいが、そうでない場合には捜索対象物であることの確信を持てないまま物品管理センタに通報されてしまうことになる。とりわけ捜索対象物の周囲に様々な物品等が混在していたり、物品の知識がなかったりすると、捜索対象物が通報されなかったり誤った物品を通報してしまうおそれがある。実際の運用面では、利用者が上記不具合を懸念して捜索対象物の検索を躊躇し、物品捜索が有効に機能しないことが考えられる。
【０００７】
また、特許文献１に記載の遺失物捜索装置にあっては、専用のタグ読み取り端末が設置されている場所以外での捜索対象物の発見が全くできないという欠点がある。
【０００８】
本発明は、このような課題に鑑みてなされたものであって、盗難又は紛失にあった対象物品を迅速かつ確実に検索することができる携帯電話機等の通信端末装置、物品管理システム及び物品管理方法を提供することを目的としている。
【課題を解決するための手段】
【０００９】
本発明の通信端末装置は、捜索対象物品の画像及び捜索対象物品に取り付けられた無線タグの第１の固有コードを取得する取得手段と、物品に取り付けられた無線タグの第２の固有コードを読み取る読取手段と、前記第２の固有コードの読み取りに応じて前記第１の固有コードと前記第２の固有コードとを比較し、固有コードの一致を報知する報知手段と、前記第２の固有コードと一致した前記第１の固有コードに対応する捜索対象物品の画像を表示する表示手段とを備えることを特徴としている。
【００１０】
さらに、操作手段を備え、前記報知手段は、前記操作手段の操作に応答して前記捜索対象物品が発見されたことを前記捜索対象物品の捜索依頼元に対して通知することがより好ましい。
【００１１】
さらに、画像を撮影する撮影手段と、前記第２の固有コードと前記第１の固有コードとが一致した場合に、前記撮影手段による無音撮影を許可する制御を行う制御手段とを備えることがより好ましい。
【００１２】
前記報知手段は、前記撮影手段によって無音撮影された画像を添付して前記捜索対象物品が発見されたことを前記捜索対象物品の捜索依頼元に対して通知することがより好ましい。
【００１３】
前記制御手段は、前記報知手段による通知が完了した後、前記撮影手段によって無音撮影された画像を消去する制御を行うことがより好ましい。
【００１４】
前記制御手段は、装置本体の電源がオフされたとき、前記撮影手段によって無音撮影された画像を消去する制御を行うことがより好ましい。
【００１５】
さらに、自己の位置を検出する位置検出手段を備え、前記報知手段は、前記捜索対象物品が発見されたことを前記捜索対象物品の捜索依頼元に対して通知する際、前記位置検出手段により検出した前記位置情報を報知するものであってもよい。
【００１６】
また、前記第１の固有コードをあらかじめ取得して記憶する記憶手段を備え、前記報知手段は、前記第２の固有コードと前記記憶手段に記憶した第１の固有コードとを比較し、固有コードが一致した場合には前記捜索対象物品が発見されたことを報知するものであってもよい。
【００１７】
また、本発明の物品管理システムは、捜索対象物品を管理する管理装置と、前記管理装置とネットワークを介して接続される複数の通信端末装置とを備える物品管理システムであって、前記通信端末装置は、画像を撮影する撮影手段と、前記捜索対象物品の画像及び捜索対象物品に取り付けられた無線タグの第１の固有コードを取得する取得手段と、物品に取り付けられた無線タグの第２の固有コードを読み取る読取手段と、前記第２の固有コードと前記第１の固有コードとを比較し、固有コードが一致した場合には前記捜索対象物品が発見されたことを、前記ネットワークを介して前記管理装置に通知する報知手段と、前記第２の固有コードと一致した前記第１の固有コードに対応する捜索対象物品の画像を表示する表示手段とを備え、前記管理装置は、前記第１の固有コード及び画像を登録する物品登録手段と、前記通信端末装置に対して、登録した前記第１の固有コード及び画像を送信する送信手段と、前記通信端末装置から、前記捜索対象物品が発見されたことの通知を受信する受信手段とを備えることを特徴としている。
【００１８】
さらに、前記通信端末装置は、操作手段を備え、前記報知手段は、前記操作手段の操作に応答して前記捜索対象物品が発見されたことを前記管理装置に通知することがより好ましい。
【００１９】
より好ましい具体的な態様として、前記制御手段は、前記第２の固有コードと前記第１の固有コードとが一致した場合に、前記撮影手段による無音撮影を許可する制御を行う。
【００２０】
前記報知手段は、前記撮影手段によって無音撮影された画像を添付して前記捜索対象物品が発見されたことを前記管理装置に通知することがより好ましい。
【００２１】
より好ましい具体的な態様として、前記制御手段は、前記報知手段による通知が完了した後、前記撮影手段によって無音撮影された画像を消去する制御を行う。
【００２２】
より好ましい具体的な態様として、前記制御手段は、装置本体の電源がオフされたとき、前記撮影手段によって無音撮影された画像を消去する制御を行う。
【００２３】
また、前記通信端末装置は、自己の位置を検出する位置検出手段をさらに備え、前記報知手段は、前記位置検出手段により検出した前記位置情報を前記管理装置に通知することがより好ましい。
【００２４】
また、前記通信端末装置は、前記第１の固有コードをあらかじめ前記管理装置から取得して記憶する記憶手段を備え、前記報知手段は、前記第２の固有コードと前記記憶手段に記憶した第１の固有コードとを比較し、固有コードが一致した場合には前記捜索対象物品が発見されたことを前記管理装置に通知するものであってもよい。
【００２５】
また、前記管理装置は、前記登録した捜索対象物品のうち、特定の物品の第1の固有コード及び画像のみを前記通信端末装置に送信するものであってもよく、前記管理装置は、前記登録した捜索対象物品のうち、特定の地域の前記通信端末装置のみに対して第１の固有コード及び画像を送信するものであってもよい。
【００２６】
具体的な態様として、前記位置検出手段は、基地局ＩＤを用いて位置情報を検出する、ＧＰＳを利用して位置情報を検出する、又は、前記通信端末装置が利用される場所にあらかじめ設置された位置送信に特化した装置を用いて位置情報を検出する、若しくはこれらの組み合わせである。
【００２７】
具体的な態様として、前記通信端末装置は、携帯電話機、ＰＨＳ、携帯情報端末、又は無線通信端末である。また具体的な態様として、前記管理装置は、警察関連施設に設置され、前記捜索対象物品は、盗品又は遺失物である。
【００２８】
本発明の物品管理方法は、捜索対象物品を管理する管理装置と、前記管理装置とネットワークを介して接続される通信端末装置とを用いた物品管理方法であって、前記捜索対象物品の画像及び捜索対象物品に取り付けられた無線タグの第１の固有コードを登録するステップと、物品に取り付けられた無線タグの第２の固有コードを読み取るステップと、前記第２の固有コードと前記第１の固有コードとを比較するステップと、前記固有コードが一致した場合に、当該固有コードに対応する捜索対象物品の画像を前記通信端末装置に表示させるステップと、前記第２の固有コードと前記第１の固有コードとが一致した場合に、前記捜索対象物品が発見されたことを前記管理装置に対して通知するステップとを有することを特徴としている。
【００２９】
前記第２の固有コードと前記第１の固有コードとが一致した場合に、前記通信端末装置に備えられた撮影手段による無音撮影を許可するステップを含むことが好ましい。
【００３０】
前記捜索対象物品が発見されたことを前記管理装置に通知する際に、前記無音撮影された画像を添付するステップを含むことが好ましい。
【００３１】
前記捜索対象物品が発見されたことを前記管理装置に対して通知した後、前記無音撮影された画像を消去するステップを含むことが好ましい。
【００３２】
前記通信端末装置の電源がオフされたとき、前記無音撮影された画像を消去するステップを含むことが好ましい。
【発明の効果】
【００３３】
以上、詳述したように、本発明によれば、専用端末で探す場合や限られた個人・警官が捜索する場合に比べて、盗難又は紛失にあった対象を迅速に発見することができる。
【００３４】
また、盗品を画像で確認できることから、依頼人は盗品登録が容易で誤登録を防止することができ、また盗品について詳細な情報を持たない協力者にとっては盗難又は紛失にあった物品を確実に特定して通報することができる。
【発明を実施するための最良の形態】
【００３５】
以下、添付図面を参照しながら本発明の好適な通信端末装置、物品管理システム及び物品管理方法の実施の形態について詳細に説明する。
【００３６】
図１は、本発明の実施の形態の物品管理システムの基本構成を示す図である。物品管理システムとして、携帯機器とネットワークを介して接続されるサービスサーバとからなる物品管理システムに適用した例である。
【００３７】
図１において、１０は無線通信を行う携帯電話機／ＰＨＳ（Personal Handy-Phone System）や携帯情報端末（以下、ＰＤＡという）などの携帯機器（通信端末装置）であり、通信端末装置として携帯電話機を例に採っている。また、携帯電話機１０はＲＦＩＤ（Radio Frequency Identification）タグ情報を読み取るＲＦＩＤ受信機能を備える。
【００３８】
物品管理システムは、キャリアサーバである携帯電話会社サーバ１と、携帯電話会社サーバ１に接続される専用回線からなる携帯電話網（キャリア網）２と、携帯電話網２に接続される携帯電話機の複数の基地局３、基地局３と無線通信を行うとともにＲＦＩＤ受信機能を備える複数の携帯電話機１０（通信端末装置）と、盗品・遺失物検索など物品管理サービスのための物品管理センタサーバ４（管理装置）と、物品管理センタサーバ４と連携して盗品情報を交換する警察サーバ５と、被害者宅に設置されるパソコン等のサーバ６（通信端末装置）と、携帯電話会社サーバ１、物品管理センタサーバ４、警察サーバ５及び被害者宅サーバ６を接続するインターネット又は専用回線からなるネットワーク網７とを備えて構成される。また、１５は無線タグが取り付けられた盗品である物品（自動車）である。なお、物品管理センタサーバ４は、警察内に設置されて警察サーバ５と一体であってもよい。
【００３９】
上記各サーバ１，４，５，６は、サーバ全体を制御するコンピュータからなる制御部、ネットワーク網７に接続され、例えばインターネット上のＵＲＬ（Uniform Resource Locators）にアクセスされたデータを送受信する通信インタフェース、データを蓄積するデータベース（ＤＢ）などから構成される。
【００４０】
携帯電話会社サーバ１は、基地局３を携帯電話網２で結ぶキャリアのネットワーク上のサーバである。携帯電話会社サーバ１は、キャリアのサーバとしての機能のほかに、携帯電話機１０の発する情報から現在位置の情報に変換して基地局３を介して携帯電話機１０に送信する機能を有する。
【００４１】
携帯電話網２及び／又はインターネット網７は、移動体通信網、公衆電話網、ＬＡＮやインターネットなどから構成するネットワークであり、有線系又は無線系などネットワークの種類とプロトコルの種類は特に問わない。また、インターネット網７のアクセス回線としてはＦＴＴＨ（Fiber To The Home）、ＨＦＣ（Hybrid Fiber Coax：光同軸ケーブル）、及びＡＤＳＬ（Asymmetric Digital Subscriber Line）／ＶＤＳＬ（Very high data rate Digital Subscriber Line）等の大容量回線が利用可能である。
【００４２】
基地局３は、複数の携帯電話機１０からの電波をアンテナを経由して送受信し、携帯電話網２を通じて携帯電話会社サーバ１に接続される。携帯電話網２及び基地局３は、携帯電話機１０において情報の送受信を行う際に、自端末と相手端末を接続する。
【００４３】
図１では、２つの携帯電話機１０と１つの基地局３、４つのサーバ１，４，５，６を図示しているが、任意の数の携帯通信端末と基地局及びサーバで構成することが可能である。
【００４４】
また、携帯電話機１０は、ＲＦタグ受信機能を備える携帯端末であればよく、本例ではＲＦＩＤタグ情報を読み取るＲＦＩＤ受信機能としているがどのようなタグでもよい。さらに、通信端末装置であれば、携帯電話機、ＰＨＳやＰＤＡなどの携帯端末に限らず、固定端末、専用端末も含まれる。また、ＰＣＭＣＩＡカード，ＣＦカード形状のタグ情報読み取り装置など、形態は限定されない。
【００４５】
図２は、上記携帯電話機１０の構成を示すブロック図であり、カメラ付き携帯電話機の携帯機器に適用した例である。
【００４６】
図２において、カメラ付き携帯電話機１０（通信端末装置）は、本装置全体を制御するＣＰＵからなる主制御部２１（報知手段，制御手段）、制御プログラムや固定データ等を記憶するＲＯＭ２２、通信制御に関するデータや演算に使用するデータ及び演算結果等を一時的に記憶するいわゆるワーキングメモリとして使用されるＲＡＭ２３、ユーザ認証用のユーザＩＤや盗品登録情報を格納するＥＥＰＲＯＭ（electrically erasable programmable ROM）等からなる不揮発性メモリ２４（記憶手段）、キャリア用無線通信を行うためのアンテナ２５、電波を送受信して無線通信を行うＲＦ無線部２６（取得手段）、ＲＦ無線部２６を制御する通信制御部２７、ＲＦＩＤタグ通信を行うためのアンテナ２８、ＲＦＩＤタグ探索のためのチャージ波を発信するＲＦＩＤ受信部２９（読取手段）、自端末の現在位置情報を取得する位置情報取得部３０（位置検出手段）、対象となる画像情報を入力するカメラからなる撮像部３１（撮影手段）、撮像部３１により撮像された画像を信号処理する画像処理部３２、白色ＬＥＤ等からなり撮像時に発光する発光部３３、操作のためのガイダンスや受信情報、撮像した画像をカラー表示するＬＣＤディスプレイ等からなる表示部３４（表示手段）、表示部３４を駆動制御する表示ドライバ３５、ユーザからのキー操作情報を入力生成する操作部３６を備えて構成される。
【００４７】
位置情報取得部３０は、基地局３及びネットワークを介して携帯電話会社サーバ１と情報の送受信を行い、接近確認から自端末の現在位置情報を取得する。あるいは、位置情報取得部３０は、例えば位置情報の電波をＧＰＳ（Global Positioning System）衛星等から受信するＧＰＳアンテナを備え、ＧＰＳアンテナを介して受信した情報より、現在位置情報を、緯度／経度の２つのパラメータとして算出するＧＰＳ機能により位置情報を取得する。
【００４８】
撮像部３１は、カメラ付き携帯電話機１０に内蔵された例えば２００万画素のＣＣＤ（Charge Coupled Device）（エリア型固体撮像素子）カメラである。撮像部３１は、単焦点レンズを有し、通常撮影時とマクロ撮影時とで焦点深度が切換えられる。
【００４９】
操作部３６は、着信，発信，電話機能切り替え，動作決定等を行う電話機能キー、各種機能を切り替えるためのモードキー、上下左右の方向に選択対象を移動させるカーソルキー、カメラの入力を決定するシャッターボタンであるシャッターキー、及び電話番号の入力等ダイヤルするためのメンブレンキー（Membrane key）からなるダイヤルキーから構成される。
【００５０】
カメラ付き携帯電話機１０は、通常状態では盗撮防止のため、比較的大きなシャッター音が鳴るようになっており、盗品撮影の際の撮影には不向きである。本実施の形態では、ＲＦＩＤタグの固有コード（第２の固有コード）と盗品登録情報の固有コード（第１の固有コード）とが一致したときには、無音による撮影が許可される。
【００５１】
主制御部２１は、マイクロコンピュータ等により構成され、装置全体の制御を行う。
特に、主制御部２１は、ＲＦＩＤ受信部２９により読み取った物品の固有コードと不揮発性メモリ２４に記憶された盗品登録リストの固有コードとを比較し、固有コードが一致した場合には盗品（捜索対象物品）が発見されたことを報知する制御を行う。また、固有コードとが一致した場合には、無音撮影を許可する制御を行う。報知方法は、表示部３４に盗品画像を表示する、バイブレータで知らせる、さらに、物品管理センタサーバ４に無音撮影した画像を添付して通報する。具体的な動作については図４のフローにより後述する。
【００５２】
以下、上述のように構成された物品管理システムの動作を説明する。
図３は、本物品管理システムの制御シーケンスを示す図である。図３において、ユーザＡ（被害者），ユーザＢ（協力者）はそれぞれ上記カメラ付き携帯電話機１０を携帯しているものとする。
【００５３】
いま、ユーザＡは、あらかじめ物品管理センタサーバ４（以下、単に物品管理センタという）に対し物品登録を申請する（番号１０１参照）。この物品登録申請では、登録しようとする物品に取り付けられている無線タグの固有コードとその物品の画像データを物品管理センタに送信し、物品管理センタが画像・固有コードをデータベース（ＤＢ）に記憶して物品登録を行う（番号１０２参照）。ユーザＡによって行われる物品登録の具体的方法としては、カメラ付き携帯電話機１０の「物品登録メニュー画面」を開き、その指示に従って(1)カメラ付き携帯電話機１０を登録しようとする物品に近づけて物品に取り付けられているＲＦＩＤタグの固有コードを取り込み、(2)物品の画像を撮像し、(3)実行キーを操作すると、(4)所轄の物品管理センタに対し取り込んだ画像・固有コードが送信され、(5)物品管理センタから登録完了の通知を受信する。上記(1)〜(5)でステップが完了していないときは未完メッセージとともに直前のステップ画面に戻る。上記物品登録により物品（自動車）１５に取り付けられたＲＦＩＤタグの固有コードと画像が物品管理センタに登録されているものとする。
【００５４】
図３の制御シーケンスに戻って、ユーザＡが盗難発生に気付く（番号１０３参照）。ユーザＡは、カメラ付き携帯電話機１０を操作して「物品捜索メニュー画面」を開き、物品管理センタに物品リストを要求する（番号１０４参照）。物品管理センタはこの要求に応えてユーザＡのカメラ付き携帯電話機１０に物品リストを画像付きで通知する（番号１０５参照）。ユーザＡは、通知された物品リストを参照して盗品である物品（自動車）１５を選択しこの物品を物品管理センタに通知する（番号１０６参照）。ユーザＡは、通知された物品リストに画像が添付されているため、物品リストから盗品を簡単に間違いなく選択して通知することができる。例えば、物品登録として複数の自動車を登録している場合、自動車１，自動車２…の名称のみの物品リストではわかり難いが、画像（自動車）が添付されているので直ぐに選択することができる。また、誤った盗品通知を行って盗品登録がなされてしまうと、盗品発見ができないばかりか盗品でない物品について処理が行われ誤報等が発生するので好ましくない。本実施の形態では、画像の添付によってこのような不具合の発生を未然に防止できる。
【００５５】
物品管理センタは、ユーザＡからの盗品通知を受けて盗品登録を行う（番号１０７参照）。盗品登録は、盗品の画像・固有コード・名称特徴・盗難場所・盗難日時等を盗品登録リストに登録する。
【００５６】
ユーザＢは、物品管理システムの協力者として、物品管理センタに盗品登録リストを要求し（番号１０８参照）、物品管理センタは盗品登録リスト要求を行ったユーザＢに前記盗品登録リスト（盗品の画像・固有コード等）を通知する（番号１０９参照）。本実施の形態では、盗品登録リスト要求を行ったユーザＢに、物品管理センタに登録されている全ての盗品登録リスト（盗品の画像・固有コード等）を通知するようにしている。しかし、盗品登録されている捜索対象物品が増えてきた場合、多数の協力者が携帯するカメラ付き携帯電話機１０に全ての盗品登録リストを送信することは通信データ量がいたずらに増え、かつカメラ付き携帯電話機１０内の記憶量が増えることになる。また、本例では固有コードの他に画像を添付することができるためより多くの通信・記憶データを使用することになる。そこで、物品管理センタは、登録した捜索対象物品のうち、特定の物品（例えば、自動車等の高額物品）の固有コード及び画像のみを送信する、あるいは特定の物品については画像を添付するが、それ以外の物品については固有コードのみを送信するような「物品限定」を行う。また、物品管理センタは、登録した捜索対象物品のうち、盗難が発生した場所の地域にいるユーザ（例えば、東京で発生した盗難品については関東地域のユーザ）について固有データ及び画像を送信する、この場合も関東地域のユーザについては画像を添付するが、それ以外の地域のユーザについては固有コードのみを送信するような「地域限定」を行う。
【００５７】
ユーザＢは、カメラ付き携帯電話機１０に物品管理センタから通知された盗品登録リスト（盗品の画像・固有コード等）を盗品登録する（番号１１０参照）。この盗品登録は、以前の盗品登録情報を最新の盗品登録リストで更新することにより行われる。ここでは、ユーザＢを代表して示したが、実際には、本物品管理システムに賛同する多数のユーザが自己のカメラ付き携帯電話機１０に盗品登録情報を記憶している。カメラ付き携帯電話機１０はありふれたものであり、何万人のユーザが前記盗品登録情報を記憶し、かつ様々な場所に移動することになる。したがって、盗品発見の機会は、専用端末や警官等が行う場合に比べ飛躍的に増え、盗品を迅速に発見することが可能になる。
【００５８】
この状態で、ユーザＢのカメラ付き携帯電話機１０のＲＦＩＤ受信部２９が、盗品のＲＦＩＤタグの固有コードを受信する（番号１１１，１１２参照）。具体的には、ＲＦＩＤ受信部２９が、近隣に対してチャージ波を発信し、ＲＦＩＤタグの応答がある場合にこのＲＦＩＤタグを受信する（番号１１１参照）。なお、消費電力節約の観点からＲＦＩＤ受信部２９からのチャージ波の発信は、カメラ付き携帯電話機１０が盗品探索モードに設定されている場合のみに行う、あるいは一定時間（例えば１０分）間隔の間欠動作で行うものでもよい。
【００５９】
ユーザＢのカメラ付き携帯電話機１０の主制御部２１は、受信したＲＦＩＤタグの固有コードと盗品登録情報として記憶している固有コードとを比較し（番号１１３参照）、固有コードが一致していれば盗品であると判断してシャッター無音のカメラ撮影を許可する（番号１１４参照）。シャッター無音の撮影処理の詳細については図４のフローにより後述する。カメラ付き携帯電話機１０は、通常状態では盗撮防止のため、比較的大きなシャッター音が鳴るようになっており、盗品撮影の際の撮影には不向きである。そこで、ＲＦＩＤタグからの固有コードと盗品の固有コードとが一致したときには、無音による撮影を許可する。図１の例では、ユーザＢは、ユーザＢの持つカメラ付き携帯電話機１０ｂで盗品である物品（自動車）１５をシャッター無音で撮影することができる。例えば、後述する図５（ｂ）に示すように捜索対象物品（自動車）１５がカメラ付き携帯電話機１０ｂの表示部３４に表示される。
【００６０】
シャッター無音撮影後、通信状況を判断する（番号１１５参照）。ユーザＢのカメラ付き携帯電話機１０が通信圏内にあるときは、物品管理センタに盗品発見を通報する（番号１１６参照）。盗品通報内容は、盗品の画像・位置情報・固有コード・名称特徴等である。位置情報は、位置情報取得部３０が取得した情報を画像・固有コードに付加して送る。物品管理センタでは、盗品通報に無音撮像された画像が添付されているので、盗品である物品（自動車）１５の特徴を画像によっても確認でき、誤判断の可能性が極めて低くなる。また、本実施の形態では、盗品を発見した位置情報も添付されるので、盗品の場所を知ることができる。
【００６１】
ここで、無音撮影した画像は、不正使用防止のため、カメラ付き携帯電話機１０には保存せず、物品管理センタ（警察）に送信後にカメラ付き携帯電話機１０から消去される。
【００６２】
また、固有コードと盗品の固有コードが一致したときにカメラ付き携帯電話機１０が圏外である場合には、圏内になったときに物品管理センタ（警察）に通報する。図１の例では、通信圏外にあるカメラ付き携帯電話機１０ａが圏内に入った時に物品管理センタ（警察）に自動通報する。
【００６３】
本制御シーケンス以外の動作となるが、盗品通報を受けた物品管理センタは、例えば警察サーバに通報し、警察が出動して盗品を確保する（番号１１７，１１８参照）。
【００６４】
盗品が確保されると、物品管理センタはユーザＢ（協力者）及びユーザＡ（被害者）に確保通知を行う（番号１１９，１２０参照）。この盗品確保通知を受けてユーザＢ及びユーザＡは盗品が確保されたことを知る。物品管理センタは、盗品登録リストから確保された盗品の画像・固有コードを消去する（番号１２１参照）。なお、この盗品登録リストからは発見された盗品の画像・固有コードは消去されるが、犯罪資料データベースとして別のサーバに蓄積しておくことが好ましい。
【００６５】
本実施の形態では、物品管理センタから通知された盗品登録リストを、カメラ付き携帯電話機１０に保存しておく例について説明したが、盗品登録リストをカメラ付き携帯電話機１０に保存せず、ＲＦＩＤ受信部２９が物品のＲＦＩＤタグの固有コードを受信するとその都度、物品管理センタに照会する態様でもよい。
【００６６】
図４は、カメラ付き携帯電話機１０の物品探索動作を示すフローチャートであり、図２の主制御部２１により実行される。図中、Ｓはフローの各ステップを示す。
【００６７】
また、図５は、物品探索動作時のカメラ付き携帯電話機１０の表示部３４の表示画面を示す図である。
【００６８】
まず、ステップＳ１でカメラ付き携帯電話機１０が通話中か確認し、通話中でなければステップＳ２でカメラ起動指示があるか否かを判別する。カメラ起動指示があると、ステップＳ３でカメラを起動する。カメラ起動指示は、例えば表示部３４にメニュー画面を呼び出し、メニュー画面上から操作部３６によりカメラモードを選択・実行する。これにより、カメラが起動され、ステップＳ４で表示部３４の表示画面に撮像画面が表示されるとともに、シャッターボタンが有効になる。ステップＳ５でカメラ終了指示があるか否かを判別し、カメラ終了指示があると、ステップＳ９でカメラを停止してカメラ起動前の状態に戻る。
【００６９】
上記ステップＳ５でカメラ終了指示がなければ、ステップＳ６で撮影指示（シャッターボタン押下）があるか否かを判別し、撮影指示がなければ上記ステップＳ４に戻って撮影指示を待つ。撮影指示があれば、ステップＳ７でシャッター音を鳴動させ、ステップＳ８で撮影画像を記録して上記ステップＳ４に戻る。このように、カメラ付き携帯電話機１０は、通常の撮影状態では盗撮防止のため、比較的大きなシャッター音が鳴るようになっている。
【００７０】
一方、上記ステップＳ２でカメラ起動指示ないときは、ステップＳ１０で固有コードを要求する。この固有コード要求は、サブルーチン制御となっており本実施の形態では、図３で述べたように、カメラ付き携帯電話機１０が、物品管理システムに盗品登録リストを要求し（図３の番号１０８参照）、物品管理システムから盗品登録リスト（盗品の画像・固有コード等）を受取り（図３の番号１０９参照）、カメラ付き携帯電話機１０に物品管理システムから通知された盗品登録リスト（盗品の画像・固有コード等）を盗品登録する（図３の番号１１０参照）までの動作を示す。
【００７１】
次いで、ステップＳ１１でカメラ付き携帯電話機１０のＲＦＩＤ受信部２９がＲＦＩＤタグの固有コードを受信したか否かを判別し、固有コードを受信したときはステップＳ１２で受信したＲＦＩＤタグの固有コードと盗品登録情報として記憶している固有コードが一致しているか否かを判別する。固有コードを受信していないとき、あるいは固有コードが一致していないとき上記ステップＳ１に戻る。
【００７２】
固有コードが一致したときは、ステップＳ１３でカメラ付き携帯電話機１０のバイブレータをＯＮにしてユーザに盗品があることを知らせ、ステップＳ１４で該当の固有コードを持つ盗品の画像を表示部３４に表示する（図５（ｂ）参照）。ユーザはバイブレータによって盗品が近傍にあることを知り、かつ対象盗品の画像が表示されることによって盗品であることを確認する。本物品管理システムが有効に機能を発揮するためには、多くのユーザの協力を得て行われることが望ましいが、多数のユーザ（協力者）とっては盗品のことを良く知らないことが想定される。したがって、盗品が発見されたことを単に報知音やメッセージで知らせるだけでは、盗品のことを良く知らないユーザに対しては不親切である。本実施の形態では、画像によって盗品が確認できるので、盗品のことを詳細に知らないユーザ（協力者）であっても対象盗品であることを確実に認識することができる。
【００７３】
ステップＳ１５では、カメラ起動指示があるか否かを判別し、カメラ起動指示がない場合にはステップＳ２２に進む。カメラ起動指示があると、ステップＳ１６でカメラを起動し、ステップＳ１７で表示部３４の表示画面に撮像画面を表示する（図５（ｃ）参照）。次いで、ステップＳ１８でカメラ終了指示があるか否かを判別し、カメラ終了指示があると、ステップＳ２２に進む。なお、このとき、図５の画面遷移例に示すように、図５（ｃ）の画面から図５（ｂ）の画面に戻り（ステップS４に戻り）、表示部３４に盗品の画像を表示し、撮影対象の再確認および撮影要否確認を行うようにしても良く、このような手順を踏むことにより、捜索対象物品の撮影ミスを抑制することができる。
【００７４】
上記ステップＳ１８でカメラ終了指示がなければ、ステップＳ１９で撮影指示（シャッターボタン押下）があるか否かを判別し、撮影指示がなければ上記ステップＳ１７に戻って撮影指示を待つ。撮影指示があれば、ステップＳ２０で撮影画像を記録し、ステップＳ２１でカメラを停止してステップＳ２２に進む。このように、盗品を撮影する場合には、シャッター音を鳴動させず（すなわち、シャッター直後に前記ステップＳ７の処理がない）に撮影画像が記憶される。なお、このとき、図５の画面遷移例に示すように、撮影画像を表示部３４に表示し（図５（ｆ）参照）、撮影画像の確認および撮り直し確認を行うようにしても良く、このような手順を踏むことにより、捜索対象物品の撮影ミスを抑制することができる。
【００７５】
ステップＳ２２では、カメラ付き携帯電話機１０が通信圏内にあるか否かを判別し、通信圏内にあるときは、ステップＳ２３で物品管理センタにメール送信により盗品の画像・位置情報・固有コード・名称特徴等を通報する。図５（ｄ）は、通信圏外等で通知失敗したときに表示される待ち受け画面であり、送信待ちアイコンが表示される。上記ステップＳ１５でカメラ起動指示がなくステップＳ２２に進んだ場合は、カメラ撮影することなく通報のみを行う場合である。図５（ｅ）は、捜索対象物品通知中の表示画面であり、図５（ｅ）の表示画面へは、図５（ｂ）の捜索対象物品発見の撮影画面から、図５（ｆ）の撮影画像から、又は図５（ｄ）の送信待ち受け画面からそれぞれ通知される。捜索対象物品通知が完了すると、図５（ｇ）の通知完了画面が表示され、ユーザ操作により通常の待ち受け画面に戻る（図５（ｈ）参照）。
【００７６】
次いで、ステップＳ２４で不正使用防止のため無音撮影した盗品画像を消去して通常状態に復帰する。無音撮影した画像はカメラ付き携帯電話機１０には保存せず、物品管理センタ（警察）に送信される。
【００７７】
上記ステップＳ２２で通信圏内にないときは、ステップＳ２５で電源ＯＦＦ指示を待つ。図５（ｄ）は通信圏内にないときの送信待ち受け画面である。電源ＯＦＦ指示があると、ステップＳ２６で撮影画像を消去して本フローを終了する（通報はされない）。これは、通報されずに電源ＯＦＦ時した場合、カメラ付き携帯電話機１０内に無音撮影した画像が残されるのを防止するためである。このようにして、無音撮影した画像は、物品管理センタ（警察）に送信後に消去されるか、電源ＯＦＦ時に消去される。
【００７８】
以上のように、本実施の形態の物品管理システムは、基地局３を介して携帯電話会社サーバ１に接続されるＲＦＩＤ受信機能を備える複数のカメラ付き携帯電話機１０と、盗品・遺失物検索など物品管理サービスのための物品管理センタサーバ４と、携帯電話会社サーバ１、物品管理センタサーバ４、警察サーバ５及び被害者宅サーバ６を接続するネットワーク網７とを備え、カメラ付き携帯電話機１０主制御部２１は、ＲＦＩＤ受信部２９により読み取った物品の固有コードと不揮発性メモリ２４に記憶された盗品登録リストの固有コードとを比較し、固有コードが一致した場合には、盗品画像を表示部３４に表示し、またバイブレータで知らせるとともに、無音撮影を許可し、物品管理センタサーバ４に無音撮影した画像を添付して通報するので、盗品を画像で確認できることから盗品について詳細な情報を持たないユーザ（協力者）であっても盗難又は紛失にあった物品を確実に特定することができる。
【００７９】
今後、ＲＦＩＤタグは多岐にわたる物品に取り付けられていく。また、携帯電話機も殆どがカメラ付き携帯電話機となってカメラ付き携帯電話機１０はより普及していくものとなる。本実施の形態の物品管理システムによれば、多数のユーザ（協力者）が盗品登録情報を記憶したカメラ付き携帯電話機１０を携帯し、かつ様々な場所に移動することになるため、盗品発見の機会は、専用端末や警官等が探す場合に比べ飛躍的に増え、盗品を迅速に発見することが可能になる。このような状況下において、盗品について詳細な情報を持たない一般ユーザ（協力者）が、盗品を画像で確認でき、安心して通報できるので物品管理の実効を図ることができる。また、依頼者が物品管理センタに物品登録し、盗難された物品を指定する場合にも画像が添付されるので盗品でない物品を誤って登録してしまう可能性を未然に防止することができる。
【００８０】
また、ハード的な追加を行うことがないので、コストアップを招くことなく容易に実施することができる。
【００８１】
なお、本物品管理システムにおいて、ユーザ（協力者）が盗品を発見した場合には、発見したユーザに何らかのインセンティブ（例えば、通話料金の割引）を与えるようにすればより効果的な運用が可能となる。
【００８２】
また、本発明の通信端末装置、物品管理システム及び物品管理方法は、上述の実施の形態に限定されるものではなく、本発明の要旨を逸脱しない範囲内において種々変更を加え得ることは勿論である。例えば、通信端末装置として携帯電話機及び被害者宅サーバとしているが、携帯電話機に限らず情報機器機能を持った又はその融合された装置に適用可能である。また、データ送受信のできる装置として、パソコンに代表される情報機器機能に融合された装置であってもよく、全てのシステムに適用可能である。また、送受信データの内容はどのようなものであってもよい。
【００８３】
また、上記携帯電話機及び物品管理システムを構成する各処理部等の種類、設定情報の種類・形式などは前述した実施形態に限られない。
【００８４】
また、本実施の形態では物品管理システム及び物品管理方法という名称を用いたが、これは説明の便宜上であり、物品捜索装置、捜索物品管理方法等であってもよい。同様に、ネットワークサーバは、商用のコンテンツ情報を配信するサーバであってもよい。
【００８５】
以上説明した通信端末装置、物品管理システム及び物品管理方法は、携帯電話機等を機能させるためのプログラムでも実現される。このプログラムはコンピュータで読み取り可能な記録媒体に格納されている。本発明では、この記録媒体として、メインメモリそのものがプログラムメディアであってもよいし、また外部記憶装置としてプログラム読み取り装置が設けられ、そこに記録媒体を挿入することで読み取り可能なプログラムメディアであってもよい。いずれの場合においても、格納されているプログラムはＣＰＵがアクセスして実行させる構成であってもよいし、あるいはいずれの場合もプログラムを読み出し、読み出されたプログラムは、図示されていないプログラム記憶エリアにダウンロードされて、そのプログラムが実行される方式であってもよい。このダウンロード用のプログラムは予め本体装置に格納されているものとする。
【図面の簡単な説明】
【００８６】
【図１】図１は、本発明の実施の形態の物品管理システムの基本構成を示す図である。
【図２】本実施の形態の携帯電話機の構成を示すブロック図である。
【図３】本実施の形態の物品管理システムの制御シーケンスを示す図である。
【図４】本実施の形態の携帯電話機の物品探索動作を示すフローチャートである。
【図５】本実施の形態の携帯電話機の物品探索動作時の表示部の表示画面を示す図である。
【符号の説明】
【００８７】
１  携帯電話会社サーバ
２  携帯電話網
３  基地局
４  物品管理センタサーバ（管理装置）
５  警察サーバ
６  被害者宅サーバ
７  ネットワーク網
１０  カメラ付き携帯電話機（通信端末装置）
２１  主制御部
２２  ＲＯＭ
２３  ＲＡＭ
２４  不揮発性メモリ（記憶手段）
２５，２８  アンテナ
２６  ＲＦ無線部（取得手段）
２７  通信制御部
２９  ＲＦＩＤ受信部（読取手段）
３０  位置情報取得部（位置検出手段）
３１  撮像部（撮影手段）
３２  画像処理部
３３  発光部
３４  表示部（表示手段）
３５  表示ドライバ
３６  操作部
【図１】
2006092128.tif 000003
【図２】
2006092128.tif 000004
【図３】
2006092128.tif 000005
【図４】
2006092128.tif 000006
【図５】
2006092128.tif 000007